(57)【要約】      （修正有）【課題】人事分析業務の効率化を図る情報処理装置及びプログラムを提供する。【解決手段】人事情報処理装置は、人員に関する複数の定量的な項目を含む人事情報の項目間の相関を示す相関情報を生成する相関分析処理を行う分析手段と、相関分析処理にあたって人事情報から除外する人員の設定画面を、複数の除外条件の中からユーザが選択可能な状態で表示手段に表示させる表示制御手段と、を備える。分析手段は、人事情報から設定画面上で選択された除外条件に該当する人員の情報を除外して相関分析処理を行う。【選択図】図４
2019144914.tif 000002
【特許請求の範囲】
【請求項１】
人員に関する複数の定量的な項目を含む人事情報の前記項目間の相関を示す相関情報を生成する相関分析処理を行う分析手段と、
前記相関分析処理にあたって前記人事情報から除外する人員の設定画面を、複数の除外条件の中からユーザが選択可能な状態で表示手段に表示させる表示制御手段と、
を備え、
前記分析手段は、前記人事情報から前記設定画面上で選択された除外条件に該当する人員の情報を除外して前記相関分析処理を行う情報処理装置。
【請求項２】
前記表示制御手段は、前記表示手段に、前記設定画面と、相関情報を表示する相関情報表示画面とを同時に表示させる請求項１に記載の情報処理装置。
【請求項３】
前記表示制御手段は、前記設定画面において、前記複数の除外条件のうち前記相関分析処理にあたり除外された人員の除外条件を、選択された状態として表示させる請求項２に記載の情報処理装置。
【請求項４】
前記分析手段は、項目の組み合わせが設定されると、項目の組み合わせに対応する初期設定の除外条件を予め記憶する記憶手段を参照して、当該設定された項目の組み合わせに対応する初期設定の除外条件を特定し、前記人事情報から特定した除外条件に該当する人員の情報を除外して前記相関分析処理を行って相関情報を生成する請求項１から３のいずれか一項に記載の情報処理装置。
【請求項５】
前記分析手段は、分析対象となる複数の項目の中から一の項目を指定するユーザ操作を受け付けると、前記複数の項目ごとに関連する関連項目を予め対応づけて記憶する記憶手段を参照して、前記一の項目に対応付けられた関連項目を抽出し、前記一の項目と前記関連項目の間の相関情報を生成する請求項１から４のいずれか一項に記載の情報処理装置。
【請求項６】
前記分析手段は、前記一の項目に対応付けられた前記関連項目を複数抽出した場合、前記一の項目と各々の前記関連項目との間の相関情報を生成し、
前記表示制御手段は、前記表示手段に、生成した複数の相関情報の各々を表示する前記相関情報表示画面を同時に表示させる請求項５に記載の情報処理装置。
【請求項７】
コンピュータを、
人員に関する複数の定量的な項目を含む人事情報の前記項目間の相関を示す相関情報を生成する相関分析処理を行う分析手段、
前記相関分析処理にあたって前記人事情報から除外する人員の設定画面を、複数の除外条件の中からユーザが選択可能な状態で表示手段に表示させる表示制御手段、
として機能させるためのプログラムであって、
前記分析手段は、前記人事情報から前記設定画面上で選択された除外条件に該当する人員の情報を除外して前記相関分析処理を行うプログラム。
【発明の詳細な説明】
【技術分野】
【０００１】
本発明は、情報処理装置及びプログラムに関する。
【背景技術】
【０００２】
従来、会社組織等の団体に所属する人員に関し、例えば、氏名、年齢、所属、役職等の人事情報を記憶して管理する装置が知られている（例えば、特許文献１参照）。
こうした装置においては、人事情報を用いて人員を分析し、人事施策などのマネジメント業務へ活用する人事分析業務が行われている。この人事分析業務では、相関分析などの統計的手法を用いて、人事情報の、ある特徴に対する傾向などの分析を行っている。
【先行技術文献】
【特許文献】
【０００３】
【特許文献１】特開２００７−４１８７８号公報
【発明の概要】
【発明が解決しようとする課題】
【０００４】
しかしながら、従来の人事分析業務では、所定の人員に関するデータを除外したい場合、ユーザがプロットグラフを目視で確認して一つずつデータを指定する作業を行うのが一般的である。このため、人事分析業務の操作が煩雑になり、業務の効率が低下していた。
【０００５】
本発明の課題は、人事分析業務の効率化を図ることである。
【課題を解決するための手段】
【０００６】
上記課題を解決するために、本発明の情報処理装置は、人員に関する複数の定量的な項目を含む人事情報の前記項目間の相関を示す相関情報を生成する相関分析処理を行う分析手段と、前記相関分析処理にあたって前記人事情報から除外する人員の設定画面を、複数の除外条件の中からユーザが選択可能な状態で表示手段に表示させる表示制御手段と、を備え、前記分析手段は、前記人事情報から前記設定画面上で選択された除外条件に該当する人員の情報を除外して前記相関分析処理を行う情報処理装置である。
【発明の効果】
【０００７】
本発明によれば、人事分析業務の効率化を図ることができる。
【図面の簡単な説明】
【０００８】
【図１】本発明の実施の形態の人事情報処理装置を示すブロック図である。
【図２】社員基本情報テーブルの構成を示す図である。
【図３】分析設定テーブルの構成を示す図である。
【図４】人事分析処理を示すフローチャートである。
【図５】分析条件画面を示す図である。
【図６】初期の分析結果画面を示す図である。
【図７】除外条件が選択された分析結果画面を示す図である。
【図８】相関図が更新された分析結果画面を示す図である。
【図９】分析条件画面の他の例を示す図である。
【図１０】初期の分析結果画面の他の例を示す図である。
【図１１】除外条件が選択された分析結果画面を示す図である。
【図１２】相関図が更新された分析結果画面を示す図である。
【発明を実施するための形態】
【０００９】
以下、添付図面を参照して本発明に係る実施の形態を詳細に説明する。なお、本発明は、図示例に限定されるものではない。
【００１０】
［人事情報処理装置の構成］
先ず、本実施の形態の装置構成を説明する。
情報処理装置としての人事情報処理装置１０は、例えば企業に設置され、当該企業の社員（人員）の人事情報を管理、分析する業務を行う装置である。但し、人事情報処理装置１０は、企業の社員の人事情報だけでなく、社員以外の人員の人事情報を管理、分析する構成としてもよい。
【００１１】
図１は、本実施の形態の人事情報処理装置１０を示すブロック図である。
図１に示すように、人事情報処理装置１０は、例えば、分析手段、表示制御手段としてのＣＰＵ（Central Processing Unit）１１と、操作部１２と、ＲＡＭ（Random Access Memory）１３と、表示手段としての表示部１４と、記憶手段としての記憶部１５と、通信部１６と、を備える。人事情報処理装置１０の各部は、バス１７を介して接続されている。
【００１２】
ＣＰＵ１１は、人事情報処理装置１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１３】
操作部１２は、キーボード等のキー入力部と、マウス等のポインティングデバイスとを有し、ユーザ（オペレータ）からのキー操作入力及び位置操作入力を受け付け、その操作情報をＣＰＵ１１に出力する。
【００１４】
ＲＡＭ１３は、揮発性のメモリであり、各種のデータやプログラムを一時的に格納するワークエリアを形成する。
【００１５】
表示部１４は、ＬＣＤ（Liquid Crystal Display）、ＥＬ（Electro luminescent）ディスプレイ等で構成され、ＣＰＵ１１から指示された表示情報に従い各種表示を行う。
【００１６】
記憶部１５は、ＨＤＤ（Hard Disk Drive）、ＳＳＤ（Solid State Drive）等により構成され、データ及びプログラムを書き込み及び読み出し可能な記憶部である。記憶部１５は、例えば、人事分析プログラム１５１と、後述する、社員基本情報テーブルＴ１００、分析設定テーブルＴ２００と、を記憶している。
【００１７】
通信部１６は、ネットワークカード等により構成され、通信ネットワーク（図示略）上のデータベース等の機器に接続される。通信ネットワークは、ＬＡＮ（Local Area Network）、ＷＡＮ（Wide Area Network）等である。ＣＰＵ１１は、通信部１６を介して、通信ネットワーク上の機器と通信が可能である。
【００１８】
なお、本実施の形態では、社員基本情報テーブルＴ１００、分析設定テーブルＴ２００等が記憶部１５に記憶されているものとして説明するが、かかる構成以外にも、例えば、通信部１６を介して通信接続されたサーバ等の記憶装置に社員基本情報テーブルＴ１００、分析設定テーブルＴ２００が記憶され、ＣＰＵ１１は、必要に応じて、通信部１６を介して記憶装置にアクセスし、社員基本情報テーブルＴ１００、分析設定テーブルＴ２００を読み出し、書き込みする構成としてもよい。
【００１９】
また、操作部１２としては、人事情報処理装置１０に備えられた構成以外にも、例えば、通信部１６を介して通信接続された操作機器によりキー操作入力及び位置操作入力を受け付け、その操作情報をＣＰＵ１１に出力する構成としてもよい。
また、表示部１４についても、人事情報処理装置１０に備えられた構成以外にも、例えば、通信部１６を介して通信接続された表示装置に、ＣＰＵ１１から指示された表示情報に従い各種表示を行わせる構成としてもよい。
【００２０】
次に、図２及び図３を参照して、記憶部１５に記憶されている情報を説明する。図２は、社員基本情報テーブルＴ１００の構成を示す図である。図３は、分析設定テーブルＴ２００の構成を示す図である。
【００２１】
社員基本情報テーブルＴ１００は、企業に所属する社員の現在の基本情報（人事情報）を管理するデータテーブルである。図２に示すように、社員基本情報テーブルＴ１００は、「社員番号」Ｔ１０１、「社員氏名」Ｔ１０２、「所属」Ｔ１０３、「役職」Ｔ１０４、「性別」Ｔ１０５、「年齢」Ｔ１０６、「モチベーション」Ｔ１０７、「人事考課」Ｔ１０８、「等級」Ｔ１０９、「職種」Ｔ１１０、「特記事項」Ｔ１１１等のフィールドを有する。
【００２２】
「社員番号」Ｔ１０１は、個々の社員を識別可能とする固有番号である。「社員氏名」Ｔ１０２は、「社員番号」Ｔ１０１の社員の氏名である。「所属」Ｔ１０３は、「社員番号」Ｔ１０１の社員の所属する部署である。「役職」Ｔ１０４は、「社員番号」Ｔ１０１の社員の役職である。「性別」Ｔ１０５は、「社員番号」Ｔ１０１の社員の性別である。
【００２３】
また、「年齢」Ｔ１０６は、「社員番号」Ｔ１０１の社員の年齢である。「モチベーション」Ｔ１０７は、「社員番号」Ｔ１０１の社員のモチベーションの程度を評価した数値である。「人事考課」Ｔ１０８は、「社員番号」Ｔ１０１の社員の能力を評価した数値である。「等級」Ｔ１０９は、「社員番号」Ｔ１０１の社員の業務上の階級を示す数値である。「職種」Ｔ１１０は、「社員番号」Ｔ１０１の社員の職務の種類を示す数値である。
なお、上記のように、「年齢」Ｔ１０６〜「職種」Ｔ１１０は、定量的な評価値で示される項目である。
【００２４】
また、「特記事項」Ｔ１１１は、「社員番号」Ｔ１０１の社員について特別に着目すべき事項であり、例えば、「退職予定者」「復職者」「シニア社員」「契約社員」「中途採用社員」「懲戒処分社員」などの内容が特記事項となる。なお、特記事項が無い場合、「特記事項」Ｔ１１１は空欄となる。そして、「特記事項」Ｔ１１１の内容が、除外条件に該当するか否かに基づいて、除外対象になるか否かが決定される。
【００２５】
分析設定テーブルＴ２００は、後述の人事分析処理において用いられるデータテーブルである。図３に示すように、分析設定テーブルＴ２００は、「分析項目１」Ｔ２０１、「分析項目２」Ｔ２０２、「除外条件１」Ｔ２０３、「除外条件２」Ｔ２０４、「除外条件３」Ｔ２０５等のフィールドを有する。
【００２６】
「分析項目１」Ｔ２０１は、人事分析処理において分析の切り口となる項目を示す。図３では「モチベーション」しか記載されていないが、「分析項目１」Ｔ２０１は、「年齢」Ｔ１０６〜「職種」Ｔ１１０を含む分析対象となり得る全ての項目についてのフィールドを有する。
「分析項目２」Ｔ２０２は、人事分析処理において用いる他の項目を示す。「分析項目２」Ｔ２０２の項目は、「分析項目１」Ｔ２０１の項目に影響していると思われる項目（関連項目）が予め設定されたものである。
なお、「分析項目１」Ｔ２０１及び「分析項目２」Ｔ２０２に示される項目は、定量的な評価値で示される項目である。
「除外条件１」Ｔ２０３、「除外条件２」Ｔ２０４及び「除外条件３」Ｔ２０５は、いずれも、「分析項目１」Ｔ２０１と「分析項目２」Ｔ２０２の項目の組み合わせに応じて設定される、人事分析処理において除外する人員の条件を示す。
【００２７】
［人事情報処理装置の動作］
次に、人事情報処理装置１０の動作を説明する。
図４は、人事情報処理装置１０において実行される人事分析処理を示すフローチャートである。
人事情報処理装置１０においては、例えば、操作部１２を介してユーザから人事分析処理の実行指示が入力されたことをトリガとして、ＣＰＵ１１は、記憶部１５から読み出して適宜ＲＡＭ１３に展開した人事分析プログラム１５１との協働で、人事分析処理を実行する。
【００２８】
図４に示すように、先ず、ＣＰＵ１１は、ユーザが分析条件を指定するための分析条件画面Ｇ１を表示部１４に表示させる（ステップＳ１１）。
【００２９】
図５は、分析条件画面Ｇ１の一例を示す図である。
図５に示すように、分析条件画面Ｇ１は、対象組織指定欄Ｇ１１と、分析項目指定欄Ｇ１２と、実行ボタンＧ１３と、終了ボタンＧ１４と、を有する。
【００３０】
対象組織指定欄Ｇ１１は、プルダウンメニューが表示可能であり、ユーザが操作部１２の操作によりプルダウンメニューから一の組織を選択することで、分析対象とする組織を指定可能である。
【００３１】
分析項目指定欄Ｇ１２は、プルダウンメニューが表示可能であり、ユーザが操作部１２の操作によりプルダウンメニューから一の項目を選択することで、分析対象とする項目を指定可能である。
分析項目指定欄Ｇ１２によりユーザが一の項目を選択すると、分析設定テーブルＴ２００が参照され、「分析項目１」Ｔ２０１が選択された一の項目となっているフィールドの、「分析項目２」Ｔ２０２で示される項目が、相関分析処理に用いる他の項目として選択される。
【００３２】
実行ボタンＧ１３は、ユーザが操作部１２を介して押下操作することで、対象組織指定欄Ｇ１１及び分析項目指定欄Ｇ１２の指定操作を実行指示する入力を受け付ける。
終了ボタンＧ１４は、ユーザが操作部１２を介して押下操作することで、分析条件画面Ｇ１のクローズ（表示の終了）を指示する入力を受け付ける。
【００３３】
図４に戻って、ＣＰＵ１１は、上記分析条件画面Ｇ１により、操作部１２を介して、対象組織及び分析項目の指定操作（分析条件の設定操作）を受け付け（ステップＳ１２）、実行ボタンＧ１３の押下操作による実行指示入力を受け付けて（ステップＳ１３）、分析結果画面Ｇ２を表示部１４に表示させる（ステップＳ１４）。
【００３４】
図６は、分析結果画面Ｇ２の一例を示す図である。
図６に示すように、分析結果画面Ｇ２は、分析結果表示欄１００と、終了ボタン３００と、を有する。
【００３５】
分析結果表示欄１００は、一乃至複数の表示領域Ｒｍを有する。ここで、表示領域Ｒｍの数は、分析項目指定欄Ｇ１２にて選択された分析項目に応じて決まるものである。例えば、図５の例のように、分析項目として「モチベーション」が選択された場合、分析設定テーブルＴ２００の「分析項目１」Ｔ２０１が「モチベーション」となっているフィールドの数である「４」が、表示領域Ｒｍの数となる。
【００３６】
各表示領域Ｒｍは、相関図表示画面（相関情報表示画面）２０１、除外条件設定画面（設定画面）２０２、反映ボタン２０３を有する。
【００３７】
相関図表示画面２０１は、二次元座標にグラフが作成された相関図２０１ａを表示するための領域である。
相関図２０１ａにおいて、縦軸は「分析項目１」Ｔ２０１の項目であり、横軸は「分析項目２」Ｔ２０２の項目である。
相関図２０１ａには、対象組織指定欄Ｇ１１で指定された組織の社員についてのデータ点が表示（プロット）されている。また、相関図２０１ａには、表示されたデータの中の除外条件に該当するデータを除外して相関分析（回帰分析）した結果である回帰直線Ｌ１が表示されている。
また、相関図表示画面２０１には、回帰直線Ｌ１に係るデータ除外後の決定係数Ｒ2（図６のＲ１では「０．７７１０」）と、データ除外前の決定係数Ｒ2（図６のＲ１では「０．５９２１」）が表示され、両者を比較可能となっている。
なお、相関図表示画面２０１に表示されている相関図２０１ａ、回帰直線Ｌ１、及び決定係数Ｒ2は、相関情報の一態様であり、詳細は後述する。
【００３８】
ここで、相関図表示画面２０１の初期画面に表示される回帰直線Ｌ１は、分析設定テーブルＴ２００に設定された除外条件（初期設定の除外条件）に従って生成されたものである。即ち、社員基本情報テーブルＴ１００の「特記事項」Ｔ１１１の内容が、分析設定テーブルＴ２００に設定された除外条件に該当するか否かに基づいて、除外対象になるデータが決定され、回帰直線Ｌ１が生成される。
そして、除外条件設定画面２０２により除外条件の設定が行われた場合には、初期画面に表示された回帰直線Ｌ１は、その設定された除外条件に従って生成された回帰直線Ｌ２（図８参照）に更新される。即ち、社員基本情報テーブルＴ１００の「特記事項」Ｔ１１１の内容が、除外条件設定画面２０２により設定された除外条件に該当するか否かに基づいて、除外対象になるデータが決定され、回帰直線Ｌ２が生成される。
【００３９】
また、決定係数Ｒ2は、回帰分析の結果（回帰直線Ｌ１）の精度を表すものであり、１に近いほど回帰分析の精度が高い、すなわち分析軸同士の相関関係が強いことを示す。したがって、図６の例では、「人事考課」「等級」「職種」「年齢」のうち、「職種」が「モチベーション」に最も強く影響していることを示す。
なお、決定係数Ｒ2は、相関係数Ｒの２乗に等しくなる。この相関係数Ｒは、２つの項目の相関関係に応じて−１から１までの値をとり得る係数であり、２つの項目が正の相関を有している場合に正の値をとり、正の相関を有している場合に正の値をとり、関連性が強いほど絶対値が１に近くなる。よって、相関係数Ｒによっても２つの項目間の相関関係を示すことができるため、相関図表示画面２０１において、決定係数Ｒ2に代えて相関係数Ｒを表示させても良い。
【００４０】
除外条件設定画面２０２は、ユーザが任意で、人事分析処理において除外する人員の条件（除外条件）を設定するための領域である。除外条件設定画面２０２には、複数の除外条件の候補が、ユーザにより選択可能に表示されている。
除外条件設定画面２０２においては、相関図表示画面２０１に表示中の相関図Ｌ２の生成において選択された除外条件について、チェックボックスにチェックが入った状態（選択された状態）となっている。
そして、選択したい除外条件のチェックボックスにチェックを入れなおすことで、除外条件を変更することができる。
なお、本実施の形態においては、社員基本情報テーブルＴ１００の「特記事項」Ｔ１１１の内容に基づいて除外条件が表示されているが、除外条件としてはこれ以外にも、役職や年齢など図２に含まれる項目の何れかに基づく除外条件であっても良いし、二つ以上の項目を組み合わせた除外条件としても良い。
【００４１】
反映ボタン２０３は、除外条件設定画面２０２における選択を承認するためのボタンである。ユーザが操作部１２を介して反映ボタン２０３を押下する操作を行うことで、除外条件設定画面２０２の設定に基づき、相関図表示画面２０１にその内容が反映される。
【００４２】
また、終了ボタン３００は、ユーザが操作部１２を介して押下操作することで、分析結果画面Ｇ２のクローズ（表示の終了）を指示する入力を受け付ける。
【００４３】
図４に戻って、ＣＰＵ１１は、上記分析結果画面Ｇ２により、操作部１２を介して、除外条件の設定操作を受け付け（ステップＳ１５）、反映ボタン２０３の押下操作による実行指示入力があったか否かを判断し（ステップＳ１６）、実行指示入力があった場合（ステップＳ１６：ＹＥＳ）、上記ステップＳ１４に移行する。
【００４４】
図７は、図６の表示領域Ｒ１の除外条件設定画面２０２において、除外条件が選択された状態の一例を示す図である。
また、図８は、図７のように除外条件が選択された結果、表示領域Ｒ１の相関図表示画面２０１において、相関図２０１ａが更新された状態の一例を示す図である。
図７では、表示領域Ｒ１の除外条件設定画面２０２において、元の「退職予定者」と「シニア社員」の選択が解除され、新たな除外条件として「復職者」と「懲戒処分」が選択された状態となっている。この状態において反映ボタン２０３が操作されると、図８に示すように、表示領域Ｒ１の相関図表示画面２０１において、相関図２０１ａが更新される。図８では、当初の回帰直線Ｌ１が、図７でされた除外条件に該当するデータを除外して回帰分析した結果である回帰直線Ｌ２に更新され、また、更新後の回帰直線Ｌ２に係る除外後の決定係数Ｒ2が表示されている。
【００４５】
図４に戻って、実行指示入力がない場合（ステップＳ１６：ＮＯ）、ＣＰＵ１１は、操作部１２を介して、終了ボタン３００の押下操作による終了指示入力があったか否かを判断する（ステップＳ１７）。
そして、終了指示入力がない場合（ステップＳ１７：ＮＯ）、ＣＰＵ１１は、上記ステップＳ１５に移行し、一方、終了指示入力があった場合（ステップＳ１７：ＹＥＳ）、ＣＰＵ１１は、本処理を終了する。
【００４６】
［本実施の形態の効果］
以上のように、本実施の形態によれば、人事情報処理装置１０のＣＰＵ１１は、人事情報の２つの項目間の相関を示す相関図２０１ａを生成する相関分析処理を行い、相関分析処理にあたって人事情報から除外する人員を設定する除外条件設定画面２０２を、複数の除外条件の中からユーザが選択可能な状態で表示部１４に表示させるものであって、ＣＰＵ１１は、人事情報から除外条件設定画面２０２上で選択された除外条件に該当する人員の情報を除外して相関分析処理を行う。
このため、ユーザは、プロットグラフを目視で確認して除外するデータを指定する作業を行わなくとも、除外条件を選択することで、その条件に該当するデータを指定することができるので、相関分析処理におけるユーザの手間を削減し、人事分析業務の効率化を図ることができる。
【００４７】
また、本実施の形態によれば、ＣＰＵ１１は、表示部１４に、除外条件設定画面２０２と、相関図２０１ａを表示する相関図表示画面２０１とを同時に表示させる。
このため、ユーザは、相関図表示画面２０１と除外条件設定画面２０２とを同時に閲覧でき、除外条件設定画面２０２にて除外条件を選択すると、その結果が相関図表示画面２０１に表示されるので、除外条件を何度も変更する試行作業を行う場合にも操作が容易となり、人事分析業務の効率化を図ることができる。
【００４８】
また、本実施の形態によれば、ＣＰＵ１１は、除外条件設定画面２０２において、複数の除外条件のうち相関分析処理にあたり除外された人員の除外条件を、選択された状態として表示させる。
このため、ユーザは、除外条件設定画面２０２において、選択されている除外条件を認識することができる。
【００４９】
また、本実施の形態によれば、ＣＰＵ１１は、分析項目の組み合わせが設定されると、分析項目の組み合わせに対応する初期設定の除外条件を予め記憶する分析設定テーブルＴ２００を参照して、当該設定された項目の組み合わせに対応する初期設定の除外条件を特定し、人事情報から特定した除外条件に該当する人員の情報を除外して相関分析処理を行って相関図を生成する。
このため、初期設定の除外条件に基づいて情報を除外した初期の相関図２０１ａが自動的に生成される。よって、ユーザが除外条件を選択することなしに相関図２０１ａが生成されるので、より人事分析業務の効率化を図ることができる。
【００５０】
また、本実施の形態によれば、ＣＰＵ１１は、分析対象となる複数の項目の中から一の項目を指定するユーザ操作を受け付けると、複数の項目ごとに関連する関連項目を予め対応づけて記憶する分析設定テーブルＴ２００を参照して、一の項目に対応付けられた関連項目を抽出し、一の項目と関連項目の間の相関図２０１ａを生成する。
このため、ユーザは、分析項目の設定を容易に行うことができる。
【００５１】
また、本実施の形態によれば、ＣＰＵ１１は、一の項目に対応付けられた関連項目を複数抽出した場合、一の項目と各々の関連項目との間の相関図２０１ａを生成し、表示部１４に、生成した複数の相関図２０１ａの各々を表示する相関図表示画面２０１を同時に表示させる。
このため、ユーザは、複数の相関図２０１ａを比較できるので、より綿密な分析が可能となる。
【００５２】
なお、上記実施の形態においては、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００５３】
また、上記実施の形態においては、分析条件画面Ｇ１において、ユーザが分析項目指定欄Ｇ１２にて一の分析項目を選択することで、他の分析項目が自動で設定される構成を例示して説明したが、例えば、図９に示すように、ユーザが２つの分析項目を選択するための、２つの分析項目指定欄Ｇ１５、Ｇ１６を備えた分析条件画面Ｇ１−１であっても良い。
【００５４】
この場合、例えば、図１０に示すように、ユーザにより２つの分析項目が選択されているため、１つの表示領域Ｒ１を有する分析結果画面Ｇ２−１が表示されることとなる。
そして、図１１に示すように、除外条件設定画面２０２において除外条件の選択が行われ、反映ボタン２０３が操作されると、相関図２０１ａの回帰直線Ｌ１は、図１２に示すように、除外条件設定画面２０２にて選択された除外条件に該当するデータを除外して回帰分析した結果である回帰直線Ｌ２に更新され、また、更新後の回帰直線Ｌ２に係る除外後の決定係数Ｒ2が表示される。また、相関図２０２ａの近傍には、現在反映されている除外条件がわかるように図１０および図１１においては、「退職予定者」「シニア社員」が表示され、図１２においては、「復職者」「懲戒処分」が表示されている。
【００５５】
また、上記実施の形態においては、二軸のグラフを生成する構成を例示して説明しているが、例えば三軸のグラフを生成しても良い。
【００５６】
その他、人事情報処理装置１０を構成する各部の細部構成及び細部動作に関しても、本発明の趣旨を逸脱することのない範囲で適宜変更可能であることは勿論である。
【００５７】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
人員に関する複数の定量的な項目を含む人事情報の前記項目間の相関を示す相関情報を生成する相関分析処理を行う分析手段と、
前記相関分析処理にあたって前記人事情報から除外する人員の設定画面を、複数の除外条件の中からユーザが選択可能な状態で表示手段に表示させる表示制御手段と、
を備え、
前記分析手段は、前記人事情報から前記設定画面上で選択された除外条件に該当する人員の情報を除外して前記相関分析処理を行う情報処理装置。
＜請求項２＞
前記表示制御手段は、前記表示手段に、前記設定画面と、相関情報を表示する相関情報表示画面とを同時に表示させる請求項１に記載の情報処理装置。
＜請求項３＞
前記表示制御手段は、前記設定画面において、前記複数の除外条件のうち前記相関分析処理にあたり除外された人員の除外条件を、選択された状態として表示させる請求項２に記載の情報処理装置。
＜請求項４＞
前記分析手段は、項目の組み合わせが設定されると、項目の組み合わせに対応する初期設定の除外条件を予め記憶する記憶手段を参照して、当該設定された項目の組み合わせに対応する初期設定の除外条件を特定し、前記人事情報から特定した除外条件に該当する人員の情報を除外して前記相関分析処理を行って相関情報を生成する請求項１から３のいずれか一項に記載の情報処理装置。
＜請求項５＞
前記分析手段は、分析対象となる複数の項目の中から一の項目を指定するユーザ操作を受け付けると、前記複数の項目ごとに関連する関連項目を予め対応づけて記憶する記憶手段を参照して、前記一の項目に対応付けられた関連項目を抽出し、前記一の項目と前記関連項目の間の相関情報を生成する請求項１から４のいずれか一項に記載の情報処理装置。
＜請求項６＞
前記分析手段は、前記一の項目に対応付けられた前記関連項目を複数抽出した場合、前記一の項目と各々の前記関連項目との間の相関情報を生成し、
前記表示制御手段は、前記表示手段に、生成した複数の相関情報の各々を表示する前記相関情報表示画面を同時に表示させる請求項５に記載の情報処理装置。
＜請求項７＞
コンピュータを、
人員に関する複数の定量的な項目を含む人事情報の前記項目間の相関を示す相関情報を生成する相関分析処理を行う分析手段、
前記相関分析処理にあたって前記人事情報から除外する人員の設定画面を、複数の除外条件の中からユーザが選択可能な状態で表示手段に表示させる表示制御手段、
として機能させるためのプログラムであって、
前記分析手段は、前記人事情報から前記設定画面上で選択された除外条件に該当する人員の情報を除外して前記相関分析処理を行うプログラム。
【符号の説明】
【００５８】
１０  人事情報処理装置（情報処理装置）
１１  ＣＰＵ（分析手段、表示制御手段）
１２  操作部
１３  ＲＡＭ
１４  表示部（表示手段）
１５  記憶部（記憶手段）
１５１  人事分析プログラム
Ｔ１００  社員基本情報テーブル
Ｔ２００  分析設定テーブル
１６  通信部
１７  バス
Ｇ１、Ｇ１−１  分析条件画面
Ｇ１１  対象組織指定欄
Ｇ１２、Ｇ１５、Ｇ１６  分析項目指定欄
Ｇ１３  実行ボタン
Ｇ１４  終了ボタン
Ｇ２、Ｇ２−１  分析結果画面
１００  分析結果表示欄
Ｒｍ、Ｒ１〜Ｒ４  表示領域
２０１  相関図表示画面（相関情報表示画面）
２０１ａ  相関図（相関情報）
Ｌ１  回帰直線（相関情報）
２０２  除外条件設定画面（設定画面）
２０３  反映ボタン
３００  終了ボタン
【図１】
2019144914.tif 000003
【図２】
2019144914.tif 000004
【図３】
2019144914.tif 000005
【図４】
2019144914.tif 000006
【図５】
2019144914.tif 000007
【図６】
2019144914.tif 000008
【図７】
2019144914.tif 000009
【図８】
2019144914.tif 000010
【図９】
2019144914.tif 000011
【図１０】
2019144914.tif 000012
【図１１】
2019144914.tif 000013
【図１２】
2019144914.tif 000014